(57)【要約】【課題】水田の除草作業において、特に稲株が成長し雑草も伸びて圃場地面が硬化し除草が難しい中期・後期除草作業時に、稲株の条間及び株間の除草を行いながら、同時に条間の溝切り作業が行える装置を提供すること。【解決手段】走行枠体に左右水平に連結されたフレームの横方向に複数の除草装置を進行方向に対して並列配置し、該除草装置前方は進行方向の先端が接地底面より高くなるように傾斜してソリ状をなし、除草装置後方に接地底面より下方に設置された側板部は、該除草装置前方へ向かうにつれて高さ方向の寸法が短くなるよう形成され、該側板部の下端部前方が接合されて、背面からみて概略Ｖ字状をなしており、側板部上端から外方向へ張り出して後方へ向かって左右対称に外方向へ八状をなした張り出し板部に沿って、二つ折りの折り目を外側にした長方形状のゴム帯状からなる弾性帯材を設置し、隣接する除草装置の弾性帯材の外側先端同士が接するように配置した水田除草機。【選択図】図１
2015139449.tif 000002
【特許請求の範囲】
【請求項１】
走行枠体に左右水平に連結されたフレームの横方向に所定間隔を有して、複数の除草装置を進行方向に対して並列配置し、該除草装置前方は、進行方向の先端が接地底面より高くなるように傾斜してソリ状をなしており、該除草装置後方に接地底面より下方に設置された左右の側板部は、該除草装置前方へ向かうにつれて高さ方向の寸法が短くなるよう形成され、該側板部の下端部前方が接合されて、背面からみて概略Ｖ字状をなしており、該側板部の上端部から外方向へ張り出して後方へ向かって左右対称に外方向へ八状をなした張り出し板部に沿って、二つ折りの折り目を外側にした長方形状のゴム帯板からなる弾性帯材を設置し、隣接する除草装置の弾性帯材の外側後端同士が接するように配置したことを特徴とする、水田除草機。
【発明の詳細な説明】
【技術分野】
【０００１】本発明は、水田の稲苗等の作物の条間並びに株間の除草用機械及び条間の溝切り用機械に関する技術分野である。
【背景技術】
【０００２】従来、水田に稲苗を植え付け後、苗周辺の雑草の除草作業として、初期・中期・後期除草の三回程度行うことになり、又、圃場の水の管理を良好に行えるようにするための条間の溝切り作業があるが、この種の装置として、例えば特許公開２００８−９９５７５広報に示すように、苗周辺の雑草を除草する際は、歩行型走行枠体の前方に、接地による抵抗力を受けて回転する除草用攪拌翼を配した除草装置を着装して作業を行い、溝切り作業の際には除草装置を外して前記走行枠体の後方に溝切り装置を装着して作業を行う水田除草機兼用溝切り機がある。
【発明の概要】
【発明が解決しようとする課題】
【０００３】しかしながら、この従来の水田除草機兼用溝切り機の場合、除草装置と溝切り装置をそれぞれの作業時に走行枠体に装着する必要があり、また走行枠体の前方に装着する除草装置においては、接地による抵抗力を受けて自動的に回転する除草用攪拌翼で除草するもので、稲株が成長して圃場地面が硬化する中期・後期除草には不十分である。【０００４】本発明は、水田の除草作業において、特に稲株が成長し雑草も伸びて圃場地面が硬化して除草が難しい中期・後期除草作業時に稲株の条間並びに株間の除草を行いながら、同時に条間の溝切り作業も行える装置を提供することを目的とする。
【課題を解決するための手段】
【０００５】本発明は、走行枠体に左右水平に連結されたフレームの横方向に複数の除草装置を進行方向に対して並列配置し、該除草装置前方は、進行方向の先端部が接地底面より高くなるように傾斜してソリ状をなし、該除草装置後方に接地底面より下方に設置された左右の側板部は、前方へ向かうにつれて高さ方向の寸法が短くなるよう形成され、該側板部の下端部前方が接合されて、背面からみて概略Ｖ字状をなしており、該側板部上端部から外方向へ張り出して後方へ向かって左右対称に外方向へ八状をなした張り出し板部に沿って、二つ折りの折り目を外側にした長方形のゴム帯板からなる弾性滞材を、隣接する該除草装置の弾性帯材の外側後端同士が接するように配置したことを特徴とする、水田除草機である。
【発明の効果】
【０００６】本発明は、前述のように、走行枠体に左右水平に連結されたフレームの横方向に複数の除草装置を進行方向に対して並列配置し、該除草装置前方は、進行方向の先端が接地底面より高くなるように傾斜してソリ状をなすことで水田の稲株の条間の雑草を押し倒しながら前進することができ、除草装置後方は背面からみると概略Ｖ字状の側板部が溝切り刃様となり、稲株が成長し雑草も伸びて硬化した中期・後期除草時の圃場地面に刺し込み、土中の所定深さに保持されて前進すると、条間土中に所定深さの溝を形成しながら、該側板部に沿って上方に持ち上げられた土が、張り出し板部に設置された、二つ折りの折り目を外側にした長方形状の弾性帯材によって抑え込まれ、押し倒された雑草を土で覆い隠して条間の圃場を畝たてした状態となり、隣接する該除草装置の弾性帯材の折り目の外側後端同士が接するように配置したことで、湾曲した弾性帯材が稲株の両側から稲株の株元を包み込むように前進しながら、稲株に損傷を与えることなく、株間の雑草を除草することができる。【０００７】上記のとおり、稲株が成長して圃場地面が硬化し除草が難しい中期・後期除草作業時に、稲株の条間並びに株間の除草を容易に行いながら、同時に条間の溝切り作業も行うことができるので、特に無農薬あるいは減農薬農法において作業の効率化及び作業者の労働負担を軽減することができる。
【図面の簡単な説明】
【０００８】
【図１】本発明の実施の形態に係る水田除草機の平面図である。
【図２】本発明の実施の形態に係る水田除草機の側面図である。
【図３】除草装置の側面図である。
【図４】除草装置の正面図である。
【図５】除草装置の背面図である。
【図６】除草装置の平面図である。
【図７】除草装置の底面図である。
【発明を実施するための形態】
【０００９】図１〜図７は、本発明の実施の形態を示している。
【００１０】図１及び図２で示すように、本発明の水田除草機１は、走行枠体フレーム１５に、補強材１３・１４で補強されたフレーム２の取り付け用ヒッチ１０をボルト１６により、該フレーム２が左右水平となるよう連結され、該フレーム２の横方向に所定間隔を有して、補助材９を備えた支持アーム８を配設し、該支持アーム８にＬ字金具１１とボルト１２により取り付けられた除草装置３を進行方向（矢印Ａ方向）に対して並列配置している。
【００１１】図３〜図７で示すように、前記除草装置３は、進行方向前方の先端３ａが接地底面３ｂより高くなるように傾斜してソリ状をなしており、該除草装置後方に接地底面３ｂより下方に設置された左右の側板部４は、前方に向かうにつれて高さ方向の寸法が短くなるよう形成され、左右の側板部４の下端部のＣ点より前方が接合され、除草装置３の背面からみて概略Ｖ字状をなしており、該側板部４の上端部から外方向へ張り出した張り出し板部５ａは接地底面３ｂにボルト７により設置し、張り出し板部５ｂは後方へ向かって左右対称に外方向へ八状をなしており、該張り出し板部５ｂに沿って、二つ折りした長方形状のゴム帯板からなる弾性帯材６を、湾曲した折り目側を外側にしてボルト７により設置している。
【００１２】また、図１で示すように、前記フレーム２の横方向に並列配置された複数の除草装置３は、隣接する除草装置３の弾性帯材６の外側後端Ｂ同士が接するように配置されているが、フレーム２の両端に配置された除草装置３の側板部４と弾性帯材６はそれぞれ隣接する弾性帯材後端Ｂ同士が重なる方側だけ設置している。
【００１３】尚、本発明は上記実施の形態に限られるものではなく、例えば、手押式・自走式作業機や歩行用あるいは乗用田植機等に牽引される構造のものに適用することができるよう取り付け用ブラケット１０の構造や形態等は適宜変更して設計されるものである。
【符号の説明】
【００１４】  １    除草機
２    フレーム
３    除草装置
３ａ  除草機先端
３ｂ  接地底面
４    側板部
５ａ・５ｂ  張り出し板部
６    弾性帯材
７    ボルト
８    支持アーム
９    補助材
１０  取り付けヒッチ
１１  Ｌ字金具
１２  ボルト
１３  補強材
１４  補強材
１５  走行枠体フレーム
１６  ボルト
Ｂ  弾性帯材後端
【図１】
2015139449.tif 000003
【図２】
2015139449.tif 000004
【図３】
2015139449.tif 000005
【図４】
2015139449.tif 000006
【図５】
2015139449.tif 000007
【図６】
2015139449.tif 000008
【図７】
2015139449.tif 000009